(57)【要約】【課題】制御・監視回線用無線伝送装置の伝送速度の遅く、かつ、小さい誤り率までも、更新周期を短く精度良く表示することを目的とする。【解決手段】ＳＨＦ（Super  High  Frequency）を用いた制御・監視回線用無線伝送装置において、受信し復調した信号の訂正ワード数の積算・比較回路を、周期を１秒間の他に１秒より短い周期、長い周期の複数段設け、短い周期の積算・比較回路は誤り率の高くなった場合の表示更新頻度を上げ、長い周期の積算・比較回路は誤り率の低い場合を長い更新時間で精度よく表示する。【選択図】図１
2011244386.tif 000002
【特許請求の範囲】
【請求項１】
制御・監視回線用無線伝送装置において、受信し復調した信号の訂正ワード数の積算・比較回路を、周期を１秒間の他に１秒より短い周期、長い周期の複数段設け、短い周期の積算・比較回路は誤り率の高くなった場合の表示更新頻度を上げ、長い周期の積算・比較回路は誤り率の低い場合を長い更新時間で精度よく表示することを特徴とするデジタル無線伝送装置。
【発明の詳細な説明】
【技術分野】
【０００１】
本発明は誤り率表示機能を備えたデジタル無線伝送装置に関するものである。
【背景技術】
【０００２】
近年、地上波放送のデジタル化に伴い、放送局で用いられるＳＨＦ（Super  High  Frequency）を用いたＳＴＬ（Studio  Transmitter  Link）装置にデジタル無線伝送装置が用いられるようになっている。
特に、放送業務用などの高い信頼性が要求されるシステムでは、実運用時での回線状況の監視のため、受信側装置に受信品質を示す誤り率の表示機能を備える場合が多い。
【０００３】
この誤り率表示の従来例を図３に説明する。図３は、制御・監視回線用無線伝送装置における受信装置での誤り率表示部のブロック図を示している。
この無線伝送装置の例では、１秒毎の伝送容量が１２７５００ワードであり、おおよそ１Ｍｂｐｓと低い伝送速度となる。
【０００４】
誤り率表示部１は、受信装置で誤り訂正処理した際に得られた、誤りを訂正したワード数（以下、訂正ワード数と称す）と、その更新タイミング（以下、訂正ワード更新タイミングと称す）を入力し、誤り率を４段階（１×１０−３以上、１×１０−４以上、１×１０−５以上、１×１０−５未満）に表示する信号を出力する。図３では、それを”BER≧１×１０−３”、 ”BER≧１×１０−４”、 ”BER≧１×１０−５”、 ”BER＜１×１０−５”と表記している。この例では、現在の誤り率に該当する信号を１、それ以外を０として表示するものとする。
【０００５】
１秒タイマー２は、システムクロックに同期して訂正ワード更新タイミングをカウントし、１秒周期のパルスを発生し、フリップフロップ３のリセット、および、フリップフロップ４のイネーブル信号を供給する。
【０００６】
加算器５は、誤り訂正ワード数にフリップフロップ３出力の値を加算し、フリップフロップ３に入力する。フリップフロップ３は、訂正ワード更新タイミングに同期して加算器５の値を順次入力し、１秒間の誤り訂正ワード数を積算すると共に、１秒タイマーからのパルスによって１秒周期でリセット動作をおこなう。
【０００７】
フリップフロップ４は、フリップフロップ３の１秒間の訂正ワード積算結果を１秒周期で保持し、比較器６、７、８に供給する。
【０００８】
比較器６は、フリップフロップ４出力からの１秒間訂正ワード積算値と、誤り率が１×１０−３の場合に１秒の間に発生する訂正ワード数１２８（≒１２７５００[ワート゛/秒]×１[秒]（１×１０−３））を閾値として大小関係を比較し、誤り率表示”BER≧１×１０−３”として、１秒間訂正ワード積算値が１２８以上であった場合に１を、１２８未満の場合に０を出力する。
比較器７は、１秒間訂正ワード積算値と、誤り率が１×１０−４の場合に１秒の間に発生する訂正ワード数１３（≒１２７５００[ワート゛/秒]×１[秒]（１×１０−４））を閾値として大小関係を比較した結果を、比較器６での比較結果とＡＮＤ９にて論理積をとり、誤り率表示”BER≧１×１０−４”として、１秒間訂正ワード積算値が１３以上１２８未満であった場合に１を、１３未満の場合に０を出力する。
比較器８は、１秒間訂正ワード積算値と、誤り率が１×１０−５の場合に１秒の間に発生する訂正ワード数１（≒１２７５００[ワート゛/秒]×１[秒]（１×１０−５））を閾値として大小関係を比較した結果を、比較器７での比較結果とＡＮＤ１０にて論理積をとり、誤り率表示”BER≧１×１０−５”として、１秒間訂正ワード積算値が１以上１３未満であった場合に１を、１未満の場合に０を出力する。
また、”BER＜１×１０−５”として、１秒間訂正ワード積算値が１未満の場合に１を、１以上であった場合に０を出力する。
【０００９】
制御・監視回線用無線伝送装置の伝送容量は、デジタルテレビＳＴＬなどと比較して非常に小さく、おおよそ１Ｍｂｐｓと低い伝送速度となるため、短時間では低い誤り率を精度良く算出できない。仮に１×１０−５より低い誤り率まで表示しようとすると約１０秒以上の訂正ワード数を積算しなければならず、誤り率表示の更新周期が約１０秒以上と長くなってしまう。その場合、受信側装置の訂正限界以上の高い誤り率が発生した瞬間を捉えることが困難となり、回線状況等の監視に支障をきたしてしまう。
【先行技術文献】
【特許文献】
【００１０】
【特許文献１】特開２００２−３５９５７８号公報
【発明の概要】
【発明が解決しようとする課題】
【００１１】
本発明は、制御・監視回線用無線伝送装置の伝送速度の遅く、かつ、小さい誤り率までも、更新周期を短く精度良く表示することを目的とする。
【課題を解決するための手段】
【００１２】
本発明は、上記の目的を達成するために、制御・監視回線用無線伝送装置において、受信し復調した信号の訂正ワード数の積算・比較回路を、周期を１秒間の他に１秒より短い周期、長い周期の複数段設け、短い周期の積算・比較回路は誤り率の高くなった場合の表示更新頻度を上げ、長い周期の積算・比較回路は誤り率の低い場合を長い更新時間で精度よく表示することを特徴とするデジタル無線伝送装置である。
【発明の効果】
【００１３】
以上説明したように本発明によれば、制御・監視回線用無線伝送装置の伝送速度の遅く、かつ、小さい誤り率までも、更新周期を短く精度良く表示することが可能になる。
【図面の簡単な説明】
【００１４】
【図１】本発明の１実施例の誤り率検出部のブロック図
【図２】本発明の他の１実施例の誤り率検出部のブロック図
【図３】従来技術の誤り率検出部のブロック図
【図４】制御・監視回線用無線伝送システムのブロック図
【発明を実施するための形態】
【００１５】
本発明の実施例の全体構成を図４を用いて説明する。図４は制御・監視回線用無線伝送システムの構成を示すブロック図で、本社〜中継所間、および、中継所〜放送所間の無線回線を伝送する２段中継の構成例である。
【００１６】
本社送信装置１０１は、多重器１０２、変調器１０３、送信高周波部１０４、送信監視板１０５で構成される。多重器１０２は、制御・監視回線信号、接点等を入力し、それらの情報を多重した多重信号を変調器１０３へ出力する。変調器１０３は、入力した多重信号を誤り訂正符号化、デジタル変調、Ｄ／Ａ変換、アップコンバートを行い、１３０ＭＨｚ帯のＩＦ信号として送信高周波部１０４へ出力する。送信高周波部１０４は、入力したＩＦ信号を電力増幅、ＳＨＦ帯へアップコンバートし、無線回線１へ送信する。送信監視板１０５は、多重器１０２、変調器１０３、送信高周波部１０４からのアラーム信号を入力し、各機器のアラーム情報を集約して表示すると共に、本社送信装置１０１の総合異常を、ＬＡＮ経由で、本社リモコン１１６に連絡する。
【００１７】
中継所送受信装置１０６は、受信高周波部１０７、復調器１０８、変調器１０９、送信高周波部１１０で構成される。受信高周波部１０７は、無線回線１０１から受信したＳＨＦ帯信号をダウンコンバート、ＡＧＣ処理し、１３０ＭＨｚ帯ＩＦ信号を復調器１０８へ出力する。復調器１０８は、入力したＩＦ信号をダウンコンバート、Ａ／Ｄ変換、デジタル復調、誤り訂正処理を行い、復号した多重信号を変調器１０９へ出力する。変調器１０９は、入力した多重信号を誤り訂正符号化、デジタル変調、Ｄ／Ａ変換、アップコンバートを行い、１３０ＭＨｚ帯のＩＦ信号として送信高周波部１１０へ出力する。送信高周波部１１０は、入力したＩＦ信号を電力増幅、ＳＨＦ帯へアップコンバートし、無線回線２へ送信する。送信監視板１１７は、受信高周波部１０７、復調器１０８、変調器１０９、送信高周波部１１０からのアラーム信号を入力し、各機器のアラーム情報を集約して表示すると共に、復調器１０８内の誤り率検出部の誤り率と中継所送受信装置１０６の総合異常をＬＡＮ経由で、本社リモコン１１６に連絡する。
【００１８】
放送所受信装置１１１は、受信高周波部１１２、復調器１１３、分離器１１４、受信監視板１１５で構成される。受信高周波部１１２は、無線回線２から受信したＳＨＦ帯信号をダウンコンバート、ＡＧＣ処理し、１３０ＭＨｚ帯ＩＦ信号を復調器１１３へ出力する。復調器１１３は、入力したＩＦ信号をダウンコンバート、Ａ／Ｄ変換、デジタル復調、誤り訂正処理を行い、復号した多重信号を分離器１１４へ出力する。分離器１１４は、入力した多重信号を音声信号、接点等に分離処理して各々出力すると共に、中継装置異常信号を受信監視板１１５へ出力する。受信監視板１１５は、受信高周波部１１２、復調器１１３、分離器１１４からのアラーム信号を入力し、各機器のアラーム情報を集約して表示すると共に、復調器１１３内の誤り率検出部の誤り率と放送所送受信装置１１１の総合異常をＬＡＮ経由で、本社リモコン１１６に連絡する。
【実施例１】
【００１９】
本発明の１実施例の、制御・監視回線用無線伝送システムの構成を示すブロック図の図４における中継所送受信装置１０６の復調器１０８内の誤り率検出部または、放送所受信装置１１１の復調器１１３内の誤り率検出部、つまり伝送装置内の誤り率検出部を、本発明の１実施例の誤り率検出部のブロック図の図１を用いて説明する。
図１は、図３の従来の構成に加え、０．１秒タイマー１１と、０．１秒毎の訂正ワード数積算結果を過去１秒分保持するフリップフロップ４、１２〜２０と、そのフリップフロップの値１０個の合計し過去１秒分の訂正ワード数を求める加算器２１〜２９と、１秒毎の訂正ワード数積算結果を過去１０秒分保持するフリップフロップ３０〜３９と、そのフリップフロップの値１０個の合計し過去１０秒分の訂正ワード数を求める加算器４０〜４８と、しきい値判定部４９を追加した構成である。
【００２０】
フリップフロップ３、加算器５は、０．１秒タイマー１１からの０．１秒周期パルスに従って前記従来回路と同様の動作で０．１秒毎の訂正ワードを積算する。その結果をフリップフロップ４で保持し、０．１秒間積算訂正ワード数を得る。
【００２１】
フリップフロップ４、１２〜２０は各々カスケード接続されたシフトレジスターを構成し、過去１秒間の０．１秒積算訂正ワードを保持する。
【００２２】
加算器２１〜２９は、フリップフロップ１２〜２０の値を各々加算し合計した結果、１秒間積算訂正ワード数を得る。
【００２３】
フリップフロップ３０〜３９は各々カスケード接続されたシフトレジスターを構成し、過去１０秒間の１秒間積算訂正ワード数を保持する。
加算器４０〜４８は、フリップフロップ３０〜３９の値を各々加算し合計した結果、１０秒間積算訂正ワード数を得る。
【００２４】
上記の構成によって得られた０．１秒間積算訂正ワード数、１秒間積算訂正ワード数、１０秒間積算訂正ワード数は、しきい値判定部４９にてしいき値比較され、その結果を５段階の誤り率（１×１０−３以上、１×１０−４以上、１×１０−５以上、１×１０−６以上、１×１０−６未満）として出力する。
【実施例２】
【００２５】
本発明の他の１実施例の誤り率検出部のしきい値判定部４９の構成を図２で説明する。
図２は、図３の従来実施例の構成に加え、０．１秒間積算訂正ワード数をしきい値比較する比較器５０、５１、ＡＮＤ５２と、１０秒間積算訂正ワード数をしきい値比較する比較器５３〜５６、ＡＮＤ５７〜５９と、０．１秒間積算訂正ワード数、１秒間積算訂正ワード数、１０秒間積算訂正ワード数のそれぞれしきい値との比較結果のワースト値を選択出力するＯＲ６０〜６２、ＡＮＤ６３〜６６を追加した構成である。
【００２６】
１秒間積算訂正ワード数のしきい値比較は従来実施例と同様の動作を行い、その結果を誤り率表示”BER２≧１×１０−３” ”BER２≧１×１０−４” ”BER２≧１×１０−５”として得る。
０．１秒間積算訂正ワード数のしきい値比較は、誤り率が１×１０−３の場合に０．１秒の間に発生する訂正ワード数１３（≒１２７５００[ワート゛/秒]×０．１[秒]（１×１０−３））を閾値として大小関係を比較し、誤り率表示”BER１≧１×１０−３”として、０．１秒間訂正ワード積算値が１３以上であった場合に１を、１３未満の場合に０を出力する。
以下同様に、誤り率が１×１０−４の場合には訂正ワード数１（≒１２７５００[ワート゛/秒]×０．１[秒]（１×１０−４））をしきい値として、誤り率表示”BER１≧１×１０−４”として出力する。
【００２７】
１０秒間積算訂正ワード数のしきい値比較は、誤り率が１×１０−３の場合に１０秒の間に発生する訂正ワード数１２７５（≒１２７５００[ワート゛/秒]×１０[秒]（１×１０−３））を閾値として大小関係を比較し、誤り率表示”BER3≧１×１０−３”として、１０秒間訂正ワード積算値が１２７５以上であった場合に１を、１２７５未満の場合に０を出力する。
以下同様に、誤り率が１×１０−４の場合には訂正ワード１２８（≒１２７５００[ワート゛/秒]×１０[秒]（１×１０−４））をしきい値として誤り率表示”BER3≧１×１０−４”を、誤り率が１×１０−５の場合には訂正ワード１３数（≒１２７５００[ワート゛/秒]×１０[秒]（１×１０−５））をしきい値として誤り率表示”BER3≧１×１０−５”を、誤り率が１×１０−６の場合には訂正ワード数１（≒１２７５００[ワート゛/秒]×１０[秒]（１×１０−６））をしきい値として誤り率表示”BER3≧１×１０−６”を、各々出力する。
【００２８】
上記の動作から得られた”BER1≧１×１０−３”、 ”BER1≧１×１０−４”、 ”BER2≧１×１０−３”、 ”BER2≧１×１０−４”、 ”BER2≧１×１０−５”、 ”BER3≧１×１０−３”、 ”BER3≧１×１０−４”、 ”BER3≧１×１０−５”、 ”BER3≧１×１０−６”の信号は、ＯＲ６０〜６２、ＡＮＤ６３〜６６の論理回路によって誤り率ワースト値が選ばれ、誤り率表示である”BER≧１×１０−３”、 ”BER≧１×１０−４”、 ”BER≧１×１０−５”、 ”BER≧１×１０−６”、 ”BER＜１×１０−６”を出力する。
【００２９】
従来実施例と比較すると、誤り率１×１０−３以上、１×１０−４以上時は更新周期が０．１秒に短縮され、また、１×１０−６以上、１×１０−６未満までの低い誤り率の表示が追加できる。
【００３０】
以上説明したように本発明によれば、誤り率表示を、訂正限界付近の高い誤り率では更新周期を短くでき、回線状態の変動予兆観測に必要な低い誤り率では精度良く表示させることが可能となり、低速なデジタル伝送装置での通常運用時の回線状態の監視に適した誤り率表示が可能なデジタル音声ＳＴＬ装置を提供することができる。
【符号の説明】
【００３１】
１：誤り率表示部、２：１秒タイマー、
３，４，１２〜２０，３０〜３９，：フリップフロップ、
６，７，８，５０，５１，５３〜５６：比較器、
５，２１〜２９，４０〜４８：加算器、１１：０．１秒タイマー、
４９：しきい値判定部、５２，５７〜５９，６３〜６６，：ＡＮＤ、６０〜６２：ＯＲ、
１０１：本社送信装置、１０２：多重器、１０３：変調器、１０４：送信高周波部、
１０５：送信監視板、１０６：中継所送受信装置、１０７：受信高周波部、
１０８：復調器、１０９：変調器、１１０：送信高周波部、１１１：放送所受信装置、
１１２：中継所送受信装置、１１３：受信高周波部、１１４：分離器、
１１５：受信監視板、１１６：リモコン、１１７：中継監視板、１１８：リモコン、
【図１】
2011244386.tif 000003
【図２】
2011244386.tif 000004
【図３】
2011244386.tif 000005
【図４】
2011244386.tif 000006